(57)【特許請求の範囲】
【請求項１】
硬質表面洗浄組成物であって、
（１）複数回の別個の水性リンスの作用下で前記硬質表面洗浄組成物とは別個の接着剤を必要とせずに前記硬質表面洗浄組成物を硬質表面に対して自己粘着性であるゲルにする成分を含む洗浄系であって、前記水性リンスのｐＨが６〜８である、洗浄系と、
（２）色彩変化系と、
を含み、
前記組成物が、当該組成物の前記複数回の別個の水性リンス中に次第に溶解して溶解洗浄部分を提供するように構成されており、前記色彩変化系が、ｐＨ２〜５又はｐＨ９〜１１であり、かつ（ａ）少なくとも１種のｐＨ調整剤と、（ｂ）前記組成物に第１の色を付与し、そして前記複数回の別個の水性リンスの各回ごとに前記溶解洗浄部分の色を変化させて、前記溶解洗浄部分の前記第１の色を第２の色へ変えることで、前記水性リンスに前記第２の色を付与するように構成されている、少なくとも１種の色彩変化染料と、を含み、前記第１の色が前記第２の色とは異なるものである、硬質表面洗浄組成物。
【請求項２】
硬質表面洗浄組成物であって、
（１）複数回の別個の水性リンスの作用下で前記硬質表面洗浄組成物とは別個の接着剤を必要とせずに前記硬質表面洗浄組成物を硬質表面に対して自己粘着性であるゲルにする成分を含む洗浄系であって、前記水性リンスのｐＨが６〜８である、洗浄系と、
（２）色彩変化系と、
を含み、
前記組成物が、当該組成物の前記複数回の別個の水性リンス中に次第に溶解して溶解洗浄部分を提供するように構成されており、前記色彩変化系が、ｐＨ２〜５又はｐＨ９〜１１であり、かつ（ａ）少なくとも１種のｐＨ調整剤と、（ｂ）前記組成物に第１の色を与える少なくとも１種の色彩変化染料と、を含み、前記複数回の別個の水性リンス後に前記組成物の色が変化して当該組成物に前記第１の色とは異なる第２の色を付与する、硬質表面洗浄組成物。
【請求項３】
硬質表面洗浄組成物であって、
（１）複数回の別個の水性リンスの作用下で前記硬質表面洗浄組成物とは別個の接着剤を必要とせずに前記硬質表面洗浄組成物を硬質表面に対して自己粘着性であるゲルにする成分を含む洗浄系であって、前記水性リンスのｐＨが６〜８である、洗浄系と、
（２）色彩変化系と、
を含み、
前記組成物が、当該組成物の前記複数回の別個の水性リンス中に次第に溶解して溶解洗浄部分を提供するように構成されており、前記色彩変化系が、ｐＨ２〜５又はｐＨ９〜１１であり、かつ（ａ）少なくとも１種のｐＨ調整剤と、（ｂ）前記組成物に第１の色を与え、そして前記組成物の前記複数回の別個の水性リンスの間、当該組成物の前記第１の色を維持するように構成されており、また、前記組成物の実質上全てが前記複数回の水性リンスのうち一回と物理的に混合されたときに当該組成物の色を第２の色へと変化させるように構成されている、少なくとも１種の色彩変化染料と、を含み、前記第１の色が前記第２の色とは異なるものである、硬質表面洗浄組成物。
【請求項４】
前記ｐＨが２〜５であり、前記少なくとも１種のｐＨ調整剤が５重量％未満でかつ０重量％超の量で含まれており、そして前記少なくとも１種の色彩変化染料が０．０１〜２重量％の量で含まれている、請求項１に記載の組成物。
【請求項５】
前記少なくとも１種のｐＨ調整剤が１重量％未満でかつ０重量％超の量で含まれており、そして前記少なくとも１種の色彩変化染料が０．０００１〜０．１重量％の量で含まれている、請求項２に記載の組成物。
【請求項６】
前記少なくとも１種のｐＨ調整剤が０．０１〜１重量％の量で含まれており、そして前記少なくとも１種の色彩変化染料が０．００１〜０．５重量％の量で含まれている、請求項３に記載の組成物。
【請求項７】
前記ｐＨが２〜５であり、そして前記少なくとも１種のｐＨ調整剤が、１０−２〜１０−６の酸解離定数を有する酸性化合物である、請求項１から請求項３のいずれか一項に記載の組成物。
【請求項８】
前記ｐＨが２〜５であり、そして前記少なくとも１種の色彩変化染料が、メチルイエロー、ブロモフェノールブルー、メチルオレンジ、ブロモクレゾールグリーン、メチルレッド、及びブロモクレゾールパープルのうちの一種である、請求項１から請求項３のいずれか一項に記載の組成物。
【請求項９】
前記ｐＨが２〜５であり、そして前記少なくとも１種のｐＨ調整剤が、鉱酸、重硫酸アルカリ金属塩、カルボン酸、有機スルホン酸、有機リン酸、及びスルファミン酸のうちの一種である、請求項１から請求項３のいずれか一項に記載の組成物。
【請求項１０】
前記ｐＨが２〜５であり、そして前記少なくとも１種のｐＨ調整剤が、酸と前記酸の共役塩基塩との緩衝混合物である、請求項１から請求項３のいずれか一項に記載の組成物。
【請求項１１】
前記ｐＨが２〜５であり、そして前記少なくとも１種のｐＨ調整剤が、ギ酸、酢酸、プロパン酸、安息香酸、フタル酸、マロン酸、コハク酸、シュウ酸、グリコール酸、乳酸、グルコン酸、グルコヘプタン酸、リンゴ酸、クエン酸、アクリル酸ホモポリマー、アクリル酸コポリマー、リンゴ酸ホモポリマー、リンゴ酸コポリマー、アミノカルボン酸キレート剤、及びアミノホスホン酸キレート剤から選択される少なくとも１種のカルボン酸である、請求項１から請求項３のいずれか一項に記載の組成物。
【請求項１２】
前記ｐＨが９〜１１であり、そして前記少なくとも１種の色彩変化染料が、アリザリンイエローＲ、チモールフタレイン、フェノールフタレイン、及びチモールブルーのうちの一種である、請求項１から請求項３のいずれか一項に記載の組成物。
【請求項１３】
前記ｐＨが９〜１１であり、そして前記少なくとも１種のｐＨ調製剤が、アルカリ金属水酸化物及びアルカリ土類金属水酸化物、アルカリ金属酸化物及びアルカリ土類金属酸化物、炭酸アルカリ金属塩、重炭酸アルカリ金属塩、リン酸アルカリ金属塩、ホウ酸塩、ケイ酸塩、アルミン酸塩、アンモニア、エタノールアミン、イソプロパノールアミン、アミノカルボン酸キレート剤の中和塩、及びアミノホスホン酸キレート剤の中和塩のうちの一種である、請求項１から請求項３のいずれか一項に記載の組成物。
【請求項１４】
前記洗浄系が、水と結合しかつ前記複数回の水性リンスの作用下で前記組成物に寸法安定性を付与する少なくとも１種の粘着促進剤と、前記少なくとも１種の粘着促進剤とは異なる少なくとも１種の界面活性剤と、を含有しており、前記少なくとも１種の粘着促進剤のうち少なくとも１つが、非イオン界面活性剤からなる群から選択され、そして前記粘着促進剤とは異なる前記少なくとも１種の界面活性剤が、アニオン性界面活性剤、非イオン界面活性剤、カチオン性界面活性剤、両性イオン性界面活性剤、及び両性界面活性剤からなる群から選択される、請求項１から請求項３のいずれか一項に記載の組成物。
【請求項１５】
前記洗浄系が、水と結合しかつ前記複数回の水性リンスの作用下で前記組成物に寸法安定性を付与する少なくとも１種の粘着促進剤と、前記粘着促進剤とは異なる少なくとも１種の界面活性剤と、を含有しており、前記少なくとも１種の粘着促進剤のうち少なくとも１つが、非イオン界面活性剤からなる群から選択され、そして前記粘着促進剤とは異なる前記少なくとも１種の界面活性剤が、分枝鎖Ｃ１０〜Ｃ１４アルキル残基と５〜１２個のエトキシ基とを有する非イオン界面活性剤からなる群から選択される、請求項１から請求項３のいずれか一項に記載の組成物。
【請求項１６】
前記少なくとも１種の粘着促進剤が、２０〜８０重量％の量で含まれており、そして前記粘着促進剤とは異なる前記少なくとも１種の界面活性剤が、１重量％超〜１０重量％の量で含まれている、請求項１５に記載の組成物。
【請求項１７】
前記組成物の粘度が２０〜２５℃において１００〜１０００Ｐａ・ｓである、請求項１から請求項３のいずれか一項に記載の組成物。
【発明の詳細な説明】
【発明の分野】
【０００１】
ｐＨ感応性色彩変化系を有する、硬質表面洗浄用途用の粘着性洗剤組成物について述べる。洗剤組成物は、複数回の別個の水性リンスにおいて洗剤組成物の洗浄部分を繰り返し放出することを提供するものである。色彩変化系の第１の実施形態は、組成物に第１の色を付与しそして水性リンスが組成物上を流れるときに水性リンスに溶解された組成物の洗浄部分に第２の色を付与する酸性又はアルカリ性色彩変化系を、洗剤組成物に供給する工程を伴う。色彩変化系の第２の色は、洗剤組成物が「作用中」、すなわち洗浄中であることをユーザに知らせるものである。色彩変化系の第２の実施形態は、洗浄組成物に第１の色を付与する酸性又はアルカリ性の色彩変化系を、洗剤組成物に供給する。洗浄組成物を何回も水性リンスすることによって所定量の洗浄部分が放出されると、組成物は、寿命末期の合図の役割を果たす第２の色に変わることで、ユーザに、新たな粘着性洗剤組成物を入れる時期であるか又はもうすぐ入れる時期であることを知らせることができる。色彩変化系の第３の実施形態は、ユーザに洗剤組成物の二つの目的、すなわち水性リンス時の自動／継続洗浄又は単回の手動洗浄を知らせる酸性又はアルカリ性の色彩変化系を、洗剤組成物に供給するものである。洗浄組成物は、表面に適用すると第１の色を呈する。組成物のこの第１の色は、何回もの水性リンスにわたって保持されて、リンスする毎に自動／継続洗浄が提供される。組成物の使用寿命期間中、ユーザは、組成物が適用された表面を手動洗浄する場合、組成物の残りの部分を使用したいと要求することがある。この残りの部分は、（例えば、ブラシ、スポンジ又はクロス洗浄器具を用いて擦る又は拭くことによって）手動洗浄するためにすすぎ水と物理的に混合されると、第１の色とは異なる第２の色へと変化する。この色彩変化は、ユーザに、同一組成物の二つの機能、すなわち自動／継続洗浄組成物が手動クリーナーとなったことを知らせる。
【背景技術】
【０００２】
色彩変化特徴を組み込んだ民生用洗浄製品は、エンドユーザにとって魅力的である。色彩変化は、製品が有効に作用中であることを表示することができる。色彩変化はまた、製品が有効な使用寿命期間の終点に至ったことを表示することもできる。色彩変化は、例えば製品の芳香強度の減少とともに相乗的な審美的視覚信号をもたらすといった、ユーザへの他の重要な信号を含むこともできる。
【０００３】
粘着性ゲル組成物は、例えばトイレのすすぎ水用といった硬質表面の継続洗浄系として用いることが知られており、この場合、トイレの水を流すたびに水がゲル組成物の上を通過し、その結果、水が流れるたびに少量の組成物を浸食又は溶解して、組成物に応じて洗浄成分をトイレの水へ並びに水位よりも上及び／又は下にある便器表面へ分散させる。粘着性ゲル組成物については、米国特許第６，６６７，２８６Ｂ１号及び米国特許出願公開第２００８／０２５５０１７Ａ１及び同第２００９／０２１５６６１Ａ１に記載されており、この特許及びこれら出願公開それぞれの開示は参照として本明細書に組み込まれる。
【先行技術文献】
【特許文献】
【０００４】
【特許文献１】米国特許第６，６６７，２８６号明細書
【特許文献２】米国特許出願公開第２００８／０２５５０１７号明細書
【特許文献３】米国特許出願公開第２００９／０２１５６６１号明細書
【発明の概要】
【発明が解決しようとする課題】
【０００５】
米国特許第６，６６７，２８６Ｂ１号及び米国特許出願公開第２００８／０２５５０１７Ａ１には、ゲル組成物に染料又は着色剤を混入させることが開示されている。しかし、具体的な染料又は着色剤の選択に関する情報は一切記載されていない。さらに、どのタイプの色彩変色系も開示されていない。開示されている粘着性ゲル組成物は、使用中に水がゲル組成物の上を周期的に通過する硬質表面の継続洗浄系として用いられている。組成物は、水洗トイレ及び水洗男性用小便器で用いられる継続自浄式粘着性衛生組成物として特に適している。
【発明を実施するための形態】
【０００６】
第１実施形態において、粘着性洗剤組成物は、好ましくはゲル状の付着した組成物へ特定の色を付与するとともに組成物の放出された洗浄部分、ひいては水性リンスへ第２の別の色を付与するほど十分に色彩変化する着色剤であって、製品が便器に水を流したときのように「作用中」、すなわち洗浄中であることを表示する目に見える色彩変化合図を含むほど十分に色彩変化する着色剤を含有する。この実施形態において、粘着性ゲル組成物は、ｐＨ調整系といくぶん高濃度の色彩変化染料とを含有していることから、便器などの硬質表面に適用されたときにゲルはある色を呈しており、そしてゲルの上に水を流したときに洗浄水の色が、適用されたゲルの元の色又は第１の色とは異なる第２の色に変わるほど、十分な染料がゲルから放出された又は溶解された洗浄部分に分散される。
【０００７】
第２の実施形態において、好ましくはゲル状の、粘着性洗剤組成物は、硬質表面に新たに適用されたときに第１の色を呈するが、組成物として付着したゲル組成物にその有効寿命の終点付近において第１の色とは異なる第２の色を付与することで、色が変わる使い切ったことを示す指示薬の働きをする。この第２の実施形態において、ゲル組成物は、便器などの硬質表面に最初に適用したときに組成物はある独特の色であるが、その後、トイレの水を何回も流してゲル組成物上を流れる洗浄水との接触を伴うことで、ゲル組成物の色は徐々に、第１の色とは異なる第２の色へと変化するように、ｐＨ調製系と低濃度の色彩変化染料とを含有している。
【０００８】
第３の実施形態において、好ましくはゲル状の、粘着性洗浄組成物は、処理すべき硬質表面に新たに適用されると第１の色を呈する。適用されたゲル組成物は、硬質表面に付着している間、何回水道水でリンス／洗浄してもこの第１の色を保持している。ユーザが選んだ時期に、付着した組成物の残りの部分は全て一度に、例えばブラシ、スポンジ、クロス又は他の洗浄器具で擦る又は拭くことによって、手動クリーナーとして用いられる相当量（例えば約１リットル）の水道水と物理的に混合することができる。組成物の残りの部分をこのような水と混合すると、第１の色とは異なる第２の色が組成物に付与される。これらの色はそれぞれ、組成物の二つの目的／機能、すなわち複数回の別個の水リンスの各回ごとに自動／継続洗浄を表す第１の色と、移行そして手動クリーナーとしての利用を表す第２の色と、を示す。
【０００９】
粘着性ゲル組成物は、付着したゲルが水道水で定期的に洗い流される硬質表面では継続洗浄系として用いることが知られている。粘着性組成物で洗浄するのに好適な硬質表面の例としては、水洗トイレ及び水洗男性用小便器が挙げられ、この場合、ゲルは便器の内表面又は男性用小便器の内壁の、水位よりも上に適用される。トイレ／男性用小便器の水を流すたびに水道水がゲル組成物の上を流れることにより、流すたびに少量の組成物が浸食又は溶解されて、洗浄成分が便器／男性用小便器の水並びに水位よりも上及び下にある便器／男性用小便器の表面に分散される。粘着性ゲル組成物については、米国特許第６，６６７，２８６Ｂ１号及び米国特許出願公開第２００８／０２５５０１７Ａ１及び同第２００９／０２１５６６１Ａ１に記載されており、これらは参照として本明細書に組み込まれる。本明細書に記載の本発明のゲル洗剤組成物の実施形態は、約２〜約５のｐＨ範囲の酸性ｐＨ調整系又は約９〜約１２のｐＨ範囲のアルカリ性ｐＨ調整系のいずれかを配合している。本発明の酸性ゲルは、約３〜約６のｐＨ範囲で色が変わる１種以上の色彩変化染料を含有する。本発明のアルカリ性ゲルは、約９〜約１１のｐＨ範囲で色が変わる１種以上の色彩変化染料を含有する。
【発明の詳細な説明】
【００１０】
本明細書で使用するとき、「組成物」とは、１成分以上を有する任意の固体、ゲル及び／又はペースト物質を指す。
【００１１】
本明細書で使用するとき、「「粘着性の（ｓｅｌｆ−ａｄｈｅｓｉｖｅ）（すなわち、自己粘着性の）」又は「粘着性（ｓｅｌｆ−ａｄｈｅｒｉｎｇ）（すなわち、自己粘着性）」とは、別個の接着剤又は他のサポート装置を必要とせずに硬質表面に貼りつく組成物の能力を指す。一実施形態において、粘着性組成物は、当該組成物を使い切ったときに残渣又は他の物質（すなわち、追加の接着剤）を全く残さない。
【００１２】
本明細書で使用するとき、「ゲル」は、降伏応力が０ではない相互作用粒子又はポリマーのネットワークを有する液体から構成された無秩序固体（ｄｉｓｏｒｄｅｒｅｄ  ｓｏｌｉｄ）を指す。
【００１３】
本明細書で使用するとき、「芳香剤」とは、任意の香料、消臭剤、臭気マスキング剤など、及びこれらの組み合わせを指す。いくつかの実施形態において、芳香剤は、消費者又はユーザの嗅覚に効果を発揮し得る任意の物質である。
【００１４】
本明細書で使用するとき、「重量％」とは、成分又は組成物の全配合中の有効活性成分の重量割合を指す。例えば、配合Ｘの市販組成物は活性成分Ｘを７０％のみ含有している場合がある。したがって、市販組成物１０ｇは単にＸを７ｇ含有している。市販組成物１０ｇを他の成分９０ｇに添加すると、最終配合物中のＸの重量％はわずか７％となる。
【００１５】
本明細書で使用するとき、「硬質表面」とは、任意の多孔性表面及び／又は無孔表面を指す。一実施形態において、硬質表面は、セラミック、ガラス、金属、ポリマー、石材、及びこれらの組み合わせからなる群から選択されてもよい。セラミック表面の限定されない例としては、便器、シンク、シャワー室、タイルなど、及びこれらの組み合わせが挙げられる。ガラス表面の限定されない例としては、窓などが挙げられる。金属表面の限定されない例としては、シンク、自動車など、及びこれらの組み合わせが挙げられる。ポリマー表面の限定されない例としては、ガラス繊維、アクリル樹脂、コーリアン（登録商標）など、及びこれらの組み合わせが挙げられる。石材硬質表面の限定されない例としては、花崗岩、大理石などが挙げられる。
【００１６】
硬質表面は、任意の形状、サイズであってよく、又はその所望の目的に適した任意の配列を有していよい。一つの限定されない例では、硬質表面は、鉛直構成で配向し得る窓であってよい。別の限定されない例では、硬質表面は、セラミック製便器などの曲面の表面であってよい。硬質表面の形状、サイズ及び／又は配向は、米国特許出願公開第２００９／０２１５６６１  Ａ１に記載されているように組成物の輸送特性が予想外に強いため、本発明の組成物に影響を及ぼさないと考えられる。
【００１７】
本明細書で使用するとき、「界面活性剤」とは、液体、例えば水の表面張力を低下させる任意の試薬を指す。本発明での使用に好適であり得る例示的な界面活性剤は以下に記載する。一実施形態において、界面活性剤は、アニオン性、非イオン性、カチオン性、両性、両性イオン及びこれらの組み合わせからなる群から選択されてよい。他の限定されない実施形態において、界面活性剤は超湿潤剤であってよい。当業者は、幾つかの実施形態において、粘着促進剤として使用できる物質もまた界面活性であり得ると考えることができる。
【００１８】
使用する際、本発明の組成物は、便器、シャワー又は浴槽のエンクロージャ、窓などのように処理すべき、例えば洗浄すべき硬質表面上に直接適用され、その硬質表面に対し、粘着性組成物及び前記表面上を通過する複数の水（リンス）の流れ、例えばトイレのすすぎ水、シャワーなどを包含するものによって粘着し得る。組成物上に水が流れるたびに、微量の組成物が、組成物上を流れる水の中に放出される。そのため、前記量の粘着性組成物は当該組成物の全使用寿命にわたって次第に減少する。つまり、水でゆすぐたびに微量の粘着性組成物が溶解／浸食することで、粘着性組成物の量が減少する。水で覆われた表面に放出された前記の微量な組成物は、表面に連続湿潤膜を形成し、その結果、組成物中に含まれる活性剤に応じて即時及び長期の洗浄及び／又は殺菌及び／又は芳香又は他の表面処理を提供する。組成物、ひいては組成物の活性剤は、表面と直接接している初期の組成物の配置から展開又は輸送されることで、表面上の拡張された領域を連続的に被覆することができると考えられる。湿潤膜は、米国特許出願公開第２００９／０２１５６６１  Ａ１に記載されているように、コーティングとして働いて、粘着性組成物から、すすぎ水の流れに逆らう方向も含むあらゆる方向へ、すなわち組成物から３６０°の方向に広がる。
【００１９】
本発明の限定されない例示的な組成物は、迅速でかつ広範な拡散を提供するといえる。理論により制限されるわけではないが、拡散効果は特定の界面活性剤を組成物に添加することによって変更できるものと考えられる。拡散速度及び拡散距離に影響を及ぼすと考えられる因子の限定されない例としては、含まれる界面活性剤の量、含まれる界面活性剤の種類、含まれる界面活性剤の組み合わせ、水の流れに拡散する界面活性剤の量、液体／空気界面での界面活性剤の吸着能、及び処理表面の表面エネルギーが挙げられる。組成物の界面活性剤は、他の分子、例えば化合物を、これら化合物を表面の他の部分へ輸送するように押し動かすのに役立つと考えられる。処理表面上で広範に輸送するのに望ましい化合物は、活性剤、例えば不活性又は静的とは真逆の活性能力を有する薬剤である。使用され得る活性剤又は活性成分の限定されない例としては、洗浄化合物、殺菌剤、抗菌剤、漂白剤、芳香剤、表面改質剤、防汚剤（例えばキレート剤）など、及びこれらの組み合わせが挙げられる。前記組成物は、便器の水位よりも上だけでなく水位よりも下の表面上にも所望の活性剤を輸送して保持できるので、便器の表面を処理する際に特に有用である。
【００２０】
洗剤組成物は、ポンプ若しくはシリンジ型装置であって、手動のもの、又は加圧若しくは機械化されたもの、エアロゾル、又は噴霧機のように任意の好適なアプリケータ装置を用いて表面に直接適用することができる。消費者は、表面に触れることなく組成物を直接表面に適用するためにアプリケータを作動させてもよい。便器表面の場合、これは衛生的でかつ利用し易い適用方法を提供する。組成物の量及び位置、例えば１つ以上の塊状又は滴状の組成物、或いは１本以上の組成物の線は、ユーザが選択することができる。組成物は、組成物を適用した硬質表面、例えば便器のセラミック側壁又はシャワー室の壁に粘着する。
【００２１】
組成物は、好ましくはゲル又はゲル様の稠度を有する。前記実施形態において、組成物は、堅いが、固体のように剛性ではない。
【００２２】
本発明の組成物によって得られる粘着性は、複数のすすぎ水の流れによって剥離されず、さらに微量の組成物が時間が経つにつれて徐々に洗い流されることなしに垂直表面への適用を可能にすることで、所望の洗浄及び／又は殺菌及び／又は芳香又は他の処理作用を提供する。組成物は、完全に洗い流すと、除去すべきものは何も残っておらず、多くの組成物は単に塗布されているだけである。
【００２３】
当然であるが、水道水のｐＨは約６〜約８の範囲に弱く緩衝化されている。例えば、米国環境保護局のガイドラインによれば、飲料水（都市水道水及び井戸「蛇口」からの水）のｐＨは６．５〜８．５でなければならない（米国環境保護局  連邦二次飲水基準（Ｎａｔｉｏｎａｌ  Ｓｅｃｏｎｄａｒｙ  Ｄｒｉｎｋｉｎｇ  Ｗａｔｅｒ  Ｒｅｇｕｌａｔｉｏｎｓ）：公害化学物質のためのガイドライン（Ｇｕｉｄａｎｃｅ  ｆｏｒ  Ｎｕｉｓａｎｃｅ  Ｃｈｅｍｉｃａｌｓ））。
【００２４】
本明細書に記載の本発明の洗剤組成物は、約２〜約５のｐＨ範囲の酸性ｐＨ調整系又は約９〜約１２のｐＨ範囲のアルカリ性ｐＨ調整系のいずれかを配合している。本発明の酸性洗剤組成物は、約３〜約６の範囲のｐＨで色が変わる１種以上の色彩変化染料を含有する。本発明のアルカリ性洗剤組成物は、約９〜約１１の範囲のｐＨで色が変わる１種以上の色彩変化染料を含有する。
【００２５】
理論に縛られるものでないが、本発明の第１の実施形態の酸性ゲル型では、ゲルを硬質表面に適用して水道水ですすぐ／流すと、色彩変化染料とｐＨ調整剤とを含有する本発明の酸性ゲル組成物の微量部分が緩衝リンス又は洗浄用水道水に溶解する又は浸食されることによって放出され、その結果、染料のｐＨ環境がｐＨ６未満からｐＨ約６〜約８へ変化することで、放出された染料に色彩のずれ（変化）が生じるものと考えられる。同様に、本発明の第１の実施形態のアルカリ性ゲル組成物では、ゲルを硬質表面に適用して水道水ですすぐ／流すと、色彩変化染料とｐＨ調整剤とを含有する本発明のアルカリ性ゲル組成物の微量部分が緩衝リンス又は洗浄用水道水に放出され、その結果、染料のｐＨ環境がｐＨ９以上からｐＨ約６〜約８へ変化することで、放出された染料に色彩のずれ（変化）が生じる。酸性／アルカリ性ゲル中に含まれるｐＨ調製剤の量は、何回ものすすぎ／洗浄中に配合ゲルのｐＨ安定性を維持するほど十分に多く、かつ前記の容量のすすぎ／洗浄用水道水の緩衝能力によって容易に流すことができるほど十分に少ない。このことは、非常に微量のゲルが洗浄するたびに（すなわち、水ですすぐたびに）溶解して／浸食されて、特定の実施形態に好適なゲル中でｐＨ調整剤の最少有効濃度と組み合わされる、本発明の組成物中では５重量％未満、好ましくは約１重量％未満のｐＨ調整剤と組み合わされるように、ゲルを調整することによって容易になる。第１の実施形態の酸性ゲル型及びアルカリ性ゲル型ではいずれも、色彩変化染料の濃度は０．０１〜約２．０重量％の範囲をとる。
【００２６】
理論に束縛されたくはないが、第２の実施形態の酸性ゲル型において、硬質表面にゲルを適用して水道水ですすぐ／洗浄すると、緩衝リンス／洗浄用水道水がゲル自体に含まれるｐＨ調整剤の一部と反応して、残りの付着ゲルのｐＨ環境を洗浄回数が増えるにつれて徐々に高めるので、ゲル中の染料に色彩のずれ（変化）が生じると考えられる。同様に、第２の実施形態のアルカリ性ゲル型において、硬質表面にゲルを適用して水道水ですすぐ／洗浄すると、緩衝リンス／洗浄用水道水及び大気中の二酸化炭素が、ゲル中のｐＨ調整剤の一部と反応した結果、洗浄回数が増えるにつれて残りの付着ゲルのｐＨ環境を徐々に低下させるので、ゲル中の染料に色彩のずれ（変化）が生じると考えられる。酸性／アルカリ性ゲル中に含まれるｐＨ調整剤の量は、すすぎ／洗浄用水道水の緩衝能力によって、「使い切ったこと」を表すのに望ましいリンス／洗浄回数の間中に徐々に消費されるほど十分に少ない。このことは、微量のゲルが洗浄／すすぐたびに溶解して／浸食されて、特定の実施形態に好適なゲル中で最少有効量のｐＨ調整剤と組み合わされる、本発明のゲル中では約１重量％未満、好ましくは約０．１重量％未満のｐＨ調整剤と組み合わされるように、ゲルを調整することによって容易になる。第２の実施形態の酸性ゲル型及びアルカリ性ゲル型ではいずれも、色彩変化染料の濃度は０．０００１〜約０．１０重量％の範囲となる。
【００２７】
理論に束縛されたくはないが、第３の実施形態の酸性ゲル型において、組成物のｐＨ調整系は、適用された組成物中で何回も水道水ですすぐ／洗浄する間中にｐＨが大幅に増加しないように十分に高濃度でなければならないと考えられる。したがって、適用された付着製品は時間とともに溶解する／浸食されるが、ゲルの色彩はほとんど変化しない。とはいえ、この第３の実施形態において、ゲルのかなりの部分（約５０〜約９０％）が溶解した／浸食された場合、付着ゲルの残りの部分は、硬質表面のための手動洗浄プロセスの一環としてかなりの量の水道水と物理的に混合されるように意図される。そのため、ゲルのｐＨ調整系は、洗浄ゲルと水との混合物の色が最初に適用されたゲルの色とは明瞭に異なる場合、洗浄ゲルと水との混合物のｐＨが約６以上となるように配合される。同様に、第３の実施形態のアルカリ性ゲル型において、組成物のｐＨ調整系はまた、適用されたゲルのｐＨが何回も水道水ですすぐ／洗浄する間中に大幅に減少しないように十分に高濃度でなければならない。したがって、適用された付着製品は時間とともに溶解する／浸食されるが、ゲルの色彩はほとんど変化しない。とはいえ、この第３の実施形態において、ゲルのかなりの部分（約５０〜約９０％）が溶解した／浸食された場合、付着ゲルの残りの部分は、硬質表面のための手動洗浄プロセスの一環としてかなりの量の水道水と物理的に混合されるように意図される。そのため、ゲルのｐＨ調整系は、洗浄ゲルと水との混合物の色が最初に適用されたゲルの色とは明瞭に異なる場合、洗浄ゲルと水との混合物のｐＨが約８以下となるように配合される。第３の実施形態の酸性及びアルカリ性ゲル型におけるｐＨ調整剤の有効量は、約０．０１〜約１重量％の範囲である。第３の実施形態の酸性及びアルカリ性ゲル型において、色彩変化染料の濃度は０．００１〜約０．５重量％の範囲をとる。
【００２８】
上述のように、ゲル中のｐＨ調整剤及び色彩変化染料の量及び種類は、所望の色彩変化効果を達成するように調整する必要があり、処置すべき硬質表面上に最初に配置されたゲルの量、表面の各リンス／洗浄に用いられる水の量、及び使用中の製品の対象となる期間（寿命）などの因子によって変更できる。
【００２９】
酸性ゲル型に好適な色彩変化染料は、約３〜約６のｐＨ範囲内において色が目に見えて変化する。前記３つの実施形態の酸性ゲル型に適した好ましい色彩変化染料指示薬としては、限定されないが、メチルイエロー、ブロモフェノールブルー、メチルオレンジ、ブロモクレゾールグリーン、メチルレッド、及びブロモクレゾールパープルなどの化合物が挙げられる。
【００３０】
酸性ゲル組成物のｐＨを調整するために様々な酸性ｐＨ調整剤を用いてよい。これらとしては、限定されないが、鉱酸（例えば、ＨＣｌ、Ｈ２ＳＯ４、Ｈ３ＰＯ４、及びＨＮＯ３）、重硫酸アルカリ金属塩、カルボン酸、有機スルホン酸（Ｒ−ＳＯ３Ｈ、前記式中、Ｒ＝アリール基又はアルキル基）、有機ホスホン酸（Ｒ−ＰＯ３Ｈ２、前記式中、Ｒ＝アリール基又はアルキル基）、及びスルファミン酸が挙げられる。酸性ゲル用のｐＨ調整剤としては、解離定数が約１０−２〜約１０−６の弱酸性化合物が好ましい。酸単独又は酸とその共役塩基塩との緩衝化された組み合わせを用いてもよい。カルボン酸を単独で又はその共役塩基塩と組み合わせて使用することは、その低コスト、好ましいｅｃｏ−ｔｏｘプロファイル及びに低い腐食性により、非常に好ましい。酸性ゲルに好ましいｐＨ調整剤としては、重硫酸アルカリ金属塩、ギ酸、酢酸、プロパノン酸、安息香酸、フタル酸、マロン酸、コハク酸、シュウ酸、グリコール酸、乳酸、グルコン酸、グルコヘプタン酸、リンゴ酸、クエン酸、アクリル酸ホモ−及びコーポリマー、リンゴ酸のホモ−及びコーポリマー、アミノカルボン酸キレート剤、例えばＥＤＴＡ（エチレンジアミン四酢酸）、ＮＴＡ（ニトリロ三酢酸）、ＨＥＤＴＡ（Ｎ−（ヒドロキシエチル）エチレンジアミン三酢酸）、ＩＤＡ（イミノ二酢酸）など、並びに様々なアミノホスサン酸キレート剤、例えば商品名デクエスト（ＤＥＱＵＥＳＴ）（サーモフォス社、米国ニュージャージー州レッドバンク（Ｒｅｄ  Ｂａｎｋ））として販売されているものが挙げられる。
【００３１】
アルカリ性ゲル実施形態に好適な色彩変化染料は、約９〜約１１のｐＨ範囲内において色が目に見えて変化する。アルカリ性ゲル実施形態に適した好ましい色彩変化染料としては、限定されないが、アリザリンイエローＲ、チモールフタレイン、フェノールフタレイン及びチモールブルーといった化合物が挙げられる。アルカリ性ゲル組成物のｐＨを調整するために様々なアルカリ性ｐＨ調整剤が使用され得る。これらとしては、限定されないが、次のうちの一種以上が挙げられる。アルカリ金属及びアルカリ土類金属水酸化物、アルカリ金属又はアルカリ土類金属酸化物、炭酸アルカリ金属塩、重炭酸アルカリ金属塩、リン酸アルカリ金属塩、種々のホウ酸塩、ケイ酸塩、そしてアルミネイド、アンモニア、エタノールアミン、及びイソプロパノールアミン、並びにアミノカルボン酸の完全中和塩及びアミノホスホン酸キレート剤。
【００３２】
ｐＨ感応性色彩変化系を含有する本発明の実施形態において、粘着性組成物は、前記色彩変化系を含有するほか、水と結合してすすぎ水の作用下でも組成物に寸法安定性を付与する少なくとも一種の粘着促進剤と、少なくとも一種の非イオン界面活性剤（粘着促進剤として全面的に又はある程度まで役立つ可能性のあるもの）、好ましくはエトキシル化アルコールと、を含有する。この実施形態は好ましくは、粘着促進剤とは異なる界面活性剤であって、非イオン界面活性剤、アニオン界面活性剤、カチオン界面活性剤、両性イオン界面活性剤、及び両性界面活性剤からなる群から選択される一種以上の界面活性剤を含有する。この実施形態は好ましくは、芳香剤と、鉱油と、水と、少なくとも一種の溶媒と、を含有する。いくつかの実施形態では、組成物はまた、湿潤膜の拡散を増強させる超湿潤化合物を含んでもよい。組成物は、外部の吊り具又はホルダーを必要とせずに長期耐久性を示すので、長時間経過後に前記表面に組成物を新たに適用することを要するのみであり、どの道具も取り外す必要がない。
【００３３】
いくつかの限定されない例において、本発明の成分のうち、硬質表面を処理するのに好適な成分は多数存在する。一実施形態において、組成物は、約２０重量％〜約８０重量％の量で含まれる粘着促進剤を含んでいる。別の実施形態において、組成物は粘着促進剤を約２０重量％〜約６０重量％の量で含んでいる。別の実施形態において、組成物は粘着促進剤を約２０重量％〜約４０重量％の量で含んでいる。別の実施形態において、組成物は粘着促進剤を約２５重量％〜約３５重量％の量で含んでいる。
【００３４】
別の実施形態において、組成物は、粘着促進剤とは異なる少なくとも１種の界面活性剤を、約１重量％超の量で含んでいる。別の実施形態において、組成物は、粘着促進剤とは異なる少なくとも１種の界面活性剤を、約２重量％〜約１０重量％の量で含んでいる。好ましい実施形態において、粘着促進剤とは異なる界面活性剤は、非イオン界面活性剤であって、Ｃ１０〜Ｃ１５エトキシル化アルコールからなる群から選択される。驚くことに、室温よりもやや高い温度において加工し易いことから、非粘着促進剤である非イオン界面活性剤として、Ｃ１０〜Ｃ１５アルキル残基と約４〜１２個のエトキシ基とを有するエトキシル化アルコール非イオン界面活性剤が好ましいことが分かった。分枝鎖Ｃ１０〜Ｃ１４アルキル残基と５〜１２個のエトキシ基とを有する非イオン界面活性剤が非常に好ましい。好ましい非イオン界面活性剤物質を含有することで、更に低いバッチ温度でも迅速な加工を非常に容易にする。
【００３５】
別の実施形態において、組成物は、粘着促進剤とは異なりかつアニオン性界面活性剤、カチオン性界面活性剤、両性イオン界面活性剤及び両性界面活性剤からなる群から選択される少なくとも１種の界面活性剤を約１重量％超の量で、好ましくは約２重量％〜約１０重量％の量で含有する。
一実施形態において、組成物は、鉱油などの非極性炭化水素を約５重量％未満の量で含む。別の実施形態において、組成物は、鉱油を０重量％超〜約５重量％の量で含む。別の実施形態において、組成物は、鉱油を約０．１重量％〜約２重量％の量で含む。
【００３６】
いくつかの実施形態において、組成物は、対象とする用途に好適な任意の材料を用いて１００重量％にしてもよい。これとしては、限定されないが、残りの量の水、表面改質剤、殺菌剤、防腐剤、漂白剤、クリーナー、発泡剤、色彩変化しない着色剤、及びこれらの組み合わせが挙げられることが当業者には分かるであろう。
【００３７】
任意で、本発明の組成物は、少なくとも１種の溶媒を０重量％〜約５重量％の量で更に含んでもよく、そして前記組成物は、少なくとも１種の芳香剤を０重量％〜約１５重量％のの量で更に含んでもよい。さらに、前記組成物は、任意で、組成物の輸送効率を拡大するために親水性ポリマーを０重量％〜約５重量％の量で含有してもよい。一実施形態において、「溶媒」には水を含まない。
【００３８】
更なる任意成分は超湿潤剤である。理論により制限されるわけではないが、超湿潤剤は、組成物の使用中に形成される湿潤膜を強化することができると考えられる。
【００３９】
粘着促進剤として用いるのに好適な例示的な成分は、大部分が直鎖で、少なくとも一部が親水性であり、そのために水分子との相互作用を生成するように親水性残基又は親水性基を少なくとも１個含有する、長い分子又は長鎖分子を有してもよい。好ましくは、粘着促進剤は、所望のネットワーク様の構造を形成して粘着促進分子を形成するように、分岐していない分子を有する。粘着促進剤は、全体として親水性であってもよく、一部親水性であってもよく、又は一部疎水性であってもよい。
【００４０】
本発明で用いるのに好適な、例示的で純粋な親水性粘着促進剤としては、例えば、ポリエチレングリコール、セルロース、特にカルボキシメチルセルロースナトリウム、ヒドロキシエチルセルロース、ヒドロキシプロピルセルロース、又はキサンタンガム、寒天、ジュランガム、アカシアゴム、イナゴマメガム、グアーガムもしくはデンプンなどの多糖類が挙げられる。多糖類は、０重量％〜約１０重量％、０重量％〜約５重量％、そして約１重量％〜約２重量％の濃度において必要な堅さと十分な粘性とを有するネットワークを形成することができる。
【００４１】
粘着促進分子は、合成又は天然ポリマー、例えばポリアクリレート、多糖類、ポリビニルアルコール、又はポリビニルピロリドンであり得る。アルギン酸塩、ジウレタン、ゲラチン、ペクチン、オレイルアミン、アルキルジメチルアミンオキシド、又はアルキルエーテル硫酸塩を用いることも可能である。
【００４２】
親水性末端と疎水性末端とを有する有機分子もまた粘着促進剤として使用してよい。親水性残基として、例えばポリアルコキシ基、好ましくはポリエトキシ基、ポリプロポキシ基又はポリブトキシ基、或いは例えばポリ（エトキシプロポキシ）基のような混成ポリアルコキシ基を使用することも可能である。親水性末端として用いるのに特に好ましいのは、例えば、エトキシ基を１５〜５５つ、好ましくはエトキシ基を２０〜４０個、更に好ましくはエトキシ基を２０〜３５つ含有するポリエトキシ残基である。
【００４３】
いくつかの実施形態において、アニオン性基、例えばスルホン酸塩、カルボン酸塩又は硫酸塩を粘着促進剤の親水性末端として使用することも可能である。他の実施形態では、せっけん、具体的にはステアリン酸ナトリウム又はステアリン酸カリウムが粘着促進剤として好適である。
【００４４】
粘着促進分子が更に疎水性末端をも有する実施形態において、疎水性残基には、直鎖アルキル残基が好ましく、生分解性が更に良好であることから偶数個のアルキル残基が特に好ましい。理論により制限されるわけではないが、粘着促進分子の所望のネットワーク形成を確立するために、分子は分岐していなくてよいと考えられる。アルキル残基を疎水性残基として選択する場合、炭素原子数が少なくとも１２のアルキル残基が好ましい。炭素原子数１６〜３０のアルキル鎖長が更に好ましく、炭素原子数１６〜２２のアルキル鎖長が最も好ましい。例示的な粘着促進剤はポリアルコキシアルカンであり、好ましくは２０〜５０個のエチレンオキシド基（ＥＯ）を有する、好ましくは約２０〜約３５つのＥＯを有するＣ１６〜Ｃ２２アルキルエトキシレートの混合物である。
【００４５】
一般に水溶液系中で増粘剤のように作用する分子、例えば親水性物質もまた粘着促進剤として使用可能である。
【００４６】
理論により制限されるわけではないが、用いられる粘着促進剤の濃度は、その親水性とそのネットワーク形成力とに左右されると考えられる。多糖類を使用する場合、例えば約１重量％〜約２重量％の濃度の粘着促進剤で十分であり得るが、ポリアルコキシアルカンを含む実施形態では、濃度は約１０重量％〜約４０重量％であってよく、別の実施形態では、約１５重量％〜約３５重量％であってよく、そして更に別の実施形態では、約２５重量％〜約３０重量％であってよい。
【００４７】
また、理論により制限されるわけではないが、水を吸収することによって粘着促進分子と所望の数の接着部位を形成するように、組成物は、少なくとも約２５重量％の水と、任意で、追加溶媒と、を含有していてもよいと考えられる。一実施形態において、組成物は、約４０重量％〜約６５重量％の水を含む。用いられる水の量は特に、使用される粘着促進剤に左右され、更には配合中の補助剤の量にも左右されることが当業者には分かるであろう。
【００４８】
使用に適した典型的なアニオン界面活性剤としては、Ｃ６〜Ｃ１８アルキルエーテル硫酸のアルカリ金属塩、例えばラウリルエーテル硫酸ナトリウム塩、α−オレフィンスルホン酸塩又はメチルタウリドが挙げられる。別の好適なアニオン界面活性剤としては、アルキル硫酸、アルケニル硫酸及びアルキルアリール硫酸のアルカリ金属塩、並びにアルキルスルホン酸、アルケニルスルホン酸及びアルキルアリールスルホン酸のアルカリ金属塩が挙げられる。いくつかのかかるアニオン界面活性剤は、一般式ＲＳＯ４Ｍ又はＲＳＯ３Ｍで表され、ここで、Ｒは、炭素原子数約８〜約２０のアルキル基若しくはアルケニル基、又はアルキルアリール基であってよく、それらのアルキル部分は炭素原子数約９〜約１５の直鎖又は分枝鎖アルキル基であってよく、それらのアリール部分はフェニル又はその誘導体であってよく、そしてＭは、アルカリ金属（例えば、アンモニウム、ナトリウム、カリウム又はリチウム）であってよい。
【００４９】
用いるのに好適な、粘着促進剤とは異なる例示的な非イオン界面活性剤としては、それぞれクラリアント・コーポレーション（Ｃｌａｒｉａｎｔ  Ｃｏｒｐｏｒａｔｉｏｎ、米国ノースカロライナ州マントホリー（Ｍｔ。Ｈｏｌｌｙ））製の商品名ジェナポール（ＧＥＮＡＰＯＬ）  ＵＤ及びジェナポールＸとしてのイソ−Ｃ１１及びイソＣ１３分枝アルキルエトキシル化アルコール、ヘンケル社（Ｈｅｎｋｅｌ、米国オハイオ州シンシナティ）から商品名グルコポン（ＧＬＵＣＯＰＯＮ）として入手可能なものなどのアルキルポリグリコシド、ＢＡＳＦ（ドイツのルートヴィヒシャーフェン（Ｌｕｄｗｉｇｓｈａｆｅｎ））から商品名ルテンソル（ＬＵＴＥＮＳＯＬ）ＸＰ（イソ−Ｃ１０アルキルエトキシレート）、ＴＯ（イソ−Ｃ１３アルキルエトキシレート）、ＡＯ（Ｃ１３／Ｃ１５アルキルエトキシレートの直鎖及び分岐混合物）として入手可能なもの、並びにダウ・ケミカル・カンパニー（Ｄｏｗ  Ｃｈｅｍｉｃａｌ  Ｃｏｍｐａｎｙ、米国ミッドランド州ミッドランド（Ｍｉｄｌａｎｄ））からタージトール（ＴＥＲＧＩＴＯＬ）Ｓ  Ｃ１１〜Ｃ１５二級アルキルアルコールエトキシレートが挙げられる。用いるのに好適な他の非イオン界面活性剤は、直鎖Ｃ１０〜Ｃ１４アルコールエトキシレートである。アミンオキシドもまた好適である。
【００５０】
少なくとも１種の溶媒を組成物中に含有することで、界面活性剤とその他の液体との混合に役立つことがある。溶媒は、約０重量％〜約１５重量％、好ましくは約１重量％〜約１２重量％の量で、更に好ましくは約５重量％〜約１０重量％の量で含まれる。用いるのに好適な溶媒の例は、炭素原子数８以下の脂肪族アルコール、炭素原子数６以下のアルキレングリコール、アルキレン基１個につき炭素原子６つ以下を有するポリアルキレングリコール、グリコール基１個につき炭素原子６つ以下及び各アルキル基中に炭素原子６つ以下を有するアルキレングリコール又はポリアルキレングリコールのモノ−又はジ−アルキルエーテル、並びにグリコール基１個につき炭素原子６つ以下及び各エステル基中に炭素原子６つ以下を有するアルキレングリコール又はポリアルキレングリコールのモノ−及びジ−エステルである。溶媒の具体例としては、ｔ−ブタノール、ｔ−ペンチルアルコール、２，３−ジメチル−２−ブタノール、ベンジルアルコール又は２−フェニルエタノール、エチレングリコール、プロピレングリコール、ジプロピレングリコール、プロピレングリコールモノ−ｎ−ブチルエーテル、ジプロピレングリコールモノ−ｎ−ブチルエーテル、プロピレングリコールモノ−ｎ−プロピルエーテル、ジプロピレングリコールモノ−ｎ−プロピルエーテル、ジエチレングリコールモノ−ｎ−ブチルエーテル、ジエチレングリコールモノメチルエーテル、ジプロピレングリコールモノメチルエーテル、トリエチレングリコール、プロピレングリコールモノアセテート、グリセリン、エタノール、イソプロパノール、及びジプロピレングリコールモノアセテートが挙げられる。性能、コスト、及び環境上の特徴／毒性のプロフィールから、好ましい溶媒はグリセリンである。
【００５１】
鉱油等の非極性炭化水素を含むことは、安定性及び硬質表面、特にセラミック表面への粘着性を向上させるのに役立つことがあると考えられる。鉱油は、組成物の全重量に対して０重量％超〜約５重量％の量で含まれる。一実施形態において、鉱油は、約０．１重量％〜約３．５重量％の量で含まれる。別の実施形態において、鉱油は、約０．３重量％〜約２重量％の量で含まれる。含有される鉱油の量は、残りの配合物の付着性能にも依存する。理論により制限されるわけではないが、鉱油の量が増加するにつれて、粘着性も向上すると考えられる。鉱油は、組成物中に用いると利益をもたらすが、界面活性剤及び／又は増粘剤及び／又は粘着促進剤の量を低下させずに鉱油を多量に含有することで、製造中に組成物の処理を行う程、組成物が増粘されるとも考えられる。というのも、組成物の堅さが処理を困難にするためである。製造中、処理は、高温で行うことも可能だが、そうすることで製造コストも増加し、高温のために別の問題も生じる。
【００５２】
本明細書において有用な親水性ポリマーの限定されない例としては、例えば、米国特許第６，５９３，２８８号、同第６，７６７，４１０号、同第６，７０３，３５８号及び同第６，５６９，２６１号に記載されいるようなアクリル酸系のもの及びアクリレートが挙げられる。好適なポリマーは、ローディア（Ｒｈｏｄｉａ）製の商品名ミラポール（ＭＩＲＡＰＯＬ）  ＳＵＲＦ  Ｓとして販売されている。好ましいポリマーは、ミラポールＳＵＲＦ  Ｓ−５００である。
【００５３】
超湿潤剤は、任意で、形成される湿潤膜の維持向上のために組成物に含有される。その結果、超湿潤剤は拡張時間を短縮するのに役立つ可能性がある。組成物に含有するのに好適な超湿潤剤の例は、ダウ・コーニング（Ｄｏｗ  Ｃｏｒｎｉｎｇ）  Ｑ２−５２１１（ダウ・コーニング、ミッドランド州ミッドランド）等のヒドロキシル化ジメチルシロキサンである。超湿潤剤は、（組成物中のその他の界面活性剤のほかに）０〜約５重量％、好ましくは約０．０１〜約２重量％、最も好ましくは約０．１重量％〜約１重量％の量で含まれてよい。
【００５４】
芳香剤及び芳香物質は、周囲外気の質を向上させるために組成物に含有することができる。一実施形態において、ゲル組成物は、芳香剤を６重量％未満含む。別の実施形態において、ゲル組成物は、芳香剤を０重量％〜６重量％含む。別の実施形態において、ゲル組成物は、芳香剤を０重量％〜約５重量％含む。さらに別の実施形態において、ゲル組成物は、芳香剤を約２重量％〜約５重量％含む。
【００５５】
本発明のゲル組成物にとって重要な追加特性は、比較的高温にさらされるにもかかわらずその形状を維持する能力であって、本明細書では「ゲル化温度」と称されるものであると考えられる。具体的には、この測定基準によって、熱せられた非粘着性組成物が冷却されたときに突然、約１Ｐａ・ｓ超の粘度へと変化する温度を求める。さらに、組成物が比較的高いゲル化温度を有すれば、製造者にとっては処理、製造、輸送および梱包に有利に働くこともある。一実施形態において、組成物のゲル化温度は５０℃超である。別の実施形態において、組成物のゲル化温度は約５０℃〜約８０℃である。さらに別の実施形態において、組成物のゲル化温度は約５５℃〜約７０℃である。
【００５６】
本発明の組成物は、硬質表面を処理するための粘着性ゲル状の組成物又はゲル様の形状の組成物であって、組成物の粘度は、２０〜２５℃の温度範囲では少なくとも約１００Ｐａ・ｓである。別の実施形態において、組成物の粘度は、２０〜２５℃の温度範囲では約１５０Ｐａ・ｓ〜約１０００Ｐａ・ｓである。さらに別の実施形態において、組成物の粘度は、２０〜２５℃の温度範囲では約２００Ｐａ・ｓ〜約４００Ｐａ・ｓである。
【００５７】
【実施例】
【００５８】
［表１］
代表的な本発明の色彩変化
ゲル組成物（重量％）
ゲル組成物Ａ及びＢは、本発明の第１の実施形態の例である。ゲル組成物Ａ及びＢを調製して、試料それぞれ約１４グラムを、別個の便器の水位よりも上の表面に適用した。トイレの水を繰り返し流した場合の、適用したゲルと流した水道水との色の変化を記録した。公営水道水（米国ウィスコンシン州ラシーン（Ｒａｃｉｎｅ））を利用した。
【表１】
0006030232.tif 000002
＊ジェナポールＴ−２５０、クラリアント・コーポレーション
＊＊ジェナポールＸ−１００、クラリアント・コーポレーション
＊＊＊ロンザ社（Ｌｏｎｚａ  Ｉｎｃ．）、米国ニュージャージー州アレンデール（Ａｌｌｅｎｄａｌｅ）
【００５９】
［表２］
代表的な本発明の色彩変化
ゲル組成物（重量％）
ゲル組成物Ｃ、Ｄ及びＥは、本発明の第２の実施形態の例である。ゲル組成物Ｃ、Ｄ、Ｅそれぞれ７グラムを調製して、別個の便器の水位よりも上の表面に適用した。最初に適用したゲルのゲル色と、同一ゲル試料の、トイレの水道水を約９０回繰り返し流した後の色と、を記録した。公営水道水（米国ウィスコンシン州ラシーン）を利用した。
【表２】
0006030232.tif 000003
＊ジェナポールＴ−２５０、クラリアント・コーポレーション
＊＊ジェナポールＸ−１００、クラリアント・コーポレーション
＊＊＊ロンザ社、米国ニュージャージー州アレンデール
【００６０】
［表３］
代表的な本発明の色彩変化
ゲル組成物（重量％）
ゲル組成物Ｆは、本発明の第３の実施形態の例である。ゲル組成物Ｆ７グラムを調製して、便器の水位よりも上の表面に適用した。最初に適用したゲルの色を記録した。約６０回水を流した後、試料の半分よりもわずかに多くが溶解し／侵食されて、残りの付着したゲルは、こすり洗い用ブラシを用いて便器内で新たに流した洗浄水と合わせた。便器の水とゲルクリーナとを合わせたものの色を記録した。公営水道水（米国ウィスコンシン州ラシーン）を利用した。
【表３】
0006030232.tif 000004
＊ジェナポールＴ−２５０、クラリアント・コーポレーション
＊＊ジェナポールＸ−１００、クラリアント・コーポレーション
＊＊＊ロンザ社、米国ニュージャージー州アレンデール
【００６１】
【表４】
0006030232.tif 000005
＊２５℃におけるＰａ・ｓ、ブルックフィールドＲ／Ｓプラス粘度計、円錐／平板構造、せん断速度１０。
【００６２】
本明細書に開示された例示的な実施形態は、本発明の範囲を網羅するものでもなく、又はそれを不必要に制限するものでもない。これら例示的な実施形態は、当業者が本発明を実施できる程度に本発明の原理を説明することを目的として選択し説明したものである。当業者には明白なように、前述の記載範囲内ではさまざまな変更を行うことが可能である。かかる変更は、当業者の能力の範囲内のものであって、本発明の一部を成し、しかも添付の特許請求の範囲に包含されるものである。
〔実施の態様〕
（ｉ）（１）接着剤を含まない状況でかつ複数回の別個の水性リンスの作用によって硬質表面洗浄組成物を硬質表面に粘着させる成分を含む洗浄系であって、前記水性リンスのｐＨが約６〜約８であるものと、
（２）色彩変化系と、
を含む、硬質表面洗浄組成物であって、
前記組成物が、当該組成物の前記複数回の別個の水性リンス中に次第に溶解して溶解洗浄部分を提供するように構成されており、前記色彩変化系が、ｐＨ約２〜約５又はｐＨ約９〜約１１であり、かつ（ａ）少なくとも１種のｐＨ調整剤と、（ｂ）前記組成物に第１の色を付与し、そして前記複数回の別個の水性リンスの各回ごとに前記溶解洗浄部分の色を変化させて、前記溶解洗浄部分の前記第１の色を第２の色へ変えることで、前記水性リンスに前記第２の色を付与するように構成されている、少なくとも１種の色彩変化染料と、を含み、前記第１の色が前記第２の色とは異なるものである、硬質表面洗浄組成物。
（ii）（１）接着剤を含まない状況でかつ複数回の別個の水性リンスの作用によって硬質表面洗浄組成物を硬質表面に粘着させる成分を含む洗浄系であって、前記水性リンスのｐＨが約６〜約８であるものと、
（２）色彩変化系と、
を含む、硬質表面洗浄組成物であって、
前記組成物が、当該組成物の前記複数回の別個の水性リンス中に次第に溶解して溶解洗浄部分を提供するように構成されており、前記色彩変化系が、ｐＨ約２〜約５又はｐＨ約９〜約１１であり、かつ（ａ）少なくとも１種のｐＨ調整剤と、（ｂ）前記組成物に第１の色を与え、そして前記複数回の別個の水性リンス後に前記組成物の色を変化させて当該組成物に前記第１の色とは異なる第２の色を付与する少なくとも１種の色彩変化染料と、を含む、硬質表面洗浄組成物。
（iii）（１）接着剤を含まない状況でかつ複数回の別個の水性リンスの作用によって硬質表面洗浄組成物を硬質表面に粘着させる成分を含む洗浄系であって、前記水性リンスのｐＨが約６〜約８であるものと、
（２）色彩変化系と、
を含む、硬質表面洗浄組成物であって、
前記組成物が、当該組成物の前記複数回の別個の水性リンス中に次第に溶解して溶解洗浄部分を提供するように構成されており、前記色彩変化系が、ｐＨ約２〜約５又はｐＨ約９〜約１１でありかつ（ａ）少なくとも１種のｐＨ調整剤と、（ｂ）前記組成物に第１の色を与え、そして前記組成物の前記複数回の別個の水性リンスにより当該組成物の色を維持するように構成されており、また、前記組成物の実質上全てが前記複数回の水性リンスのうち一回と物理的に混合されたときに当該組成物の色を第２の色へと変化させるように構成されている、少なくとも１種の色彩変化染料と、を含み、前記第１の色が前記第２の色とは異なるものである、硬質表面洗浄組成物。
（iv）  前記ｐＨ が約２〜約５であり、前記少なくとも１種のｐＨ調整剤が５重量％未満でかつ０重量％ 超の量で含まれており、そして前記少なくとも１種の色彩変化染料が約０．０１〜約２重量％の量で含まれている、実施態様（ｉ）に記載の組成物。
（ｖ）  前記少なくとも１種のｐＨ調整剤が１重量％未満でかつ０重量％超の量で含まれており、そして前記少なくとも１種の色彩変化染料が約０．０００１〜約０．１重量％の量で含まれている、実施態様（ii）に記載の組成物。
（vi）  前記少なくとも１種のｐＨ調整剤が約０．０１〜約１重量％の量で含まれており、そして前記少なくとも１種の色彩変化染料が約０．００１〜約０．５重量％の量で含まれている、実施態様（iii）に記載の組成物。
（vii）  前記ｐＨが約２〜約５であり、そして前記少なくとも１種のｐＨ調整剤が、約１０−２〜約１０−６の酸解離定数を有する酸性化合物である、実施態様（ｉ）から実施態様（iii）のいずれか一項に記載の組成物。
（viii）  前記ｐＨが約２〜約５であり、そして前記少なくとも１種の色彩変化染料が、メチルイエロー、ブロモフェノールブルー、メチルオレンジ、ブロモクレゾールグリーン、メチルレッド及びブロモクレゾールパープルのうちの一種である、実施態様（ｉ）から実施態様（iii）のいずれか一項に記載の組成物。
（ix）  前記ｐＨが約２〜約５であり、そして前記少なくとも１種のｐＨ調整剤が、鉱酸、重硫酸アルカリ金属塩、カルボン酸、有機スルホン酸、有機リン酸及びスルファミン酸のうちの一種である、実施態様（ｉ）から実施態様（iii）のいずれか一項に記載の組成物。
（ｘ）  前記ｐＨが約２〜約５であり、そして前記少なくとも１種のｐＨ調整剤が、酸と前記酸の共役塩基塩との緩衝混合物である、実施態様（ｉ）から実施態様（iii）のいずれか一項に記載の組成物。
（xi）  前記ｐＨが約２〜約５であり、そして前記少なくとも１種のｐＨ調整剤が、ギ酸、酢酸、プロパン酸、安息香酸、フタル酸、マロン酸、コハク酸、シュウ酸、グリコール酸、乳酸、グルコン酸、グルコヘプタン酸、リンゴ酸、クエン酸、アクリル酸ホモポリマー、アクリル酸コポリマー、リンゴ酸ホモポリマー、リンゴ酸コポリマー、アミノカルボン酸キレート剤及びアミノホスホン酸キレート剤から選択される少なくとも１種のカルボン酸である、実施態様（ｉ）から実施態様（iii）のいずれか一項に記載の組成物。
（xii）  前記ｐＨが約９〜約１１であり、そして前記少なくとも１種の色彩変化染料が、アリザリンイエローＲ、チモールフタレイン、フェノールフタレイン及びチモールブルーのうちの一種である、実施態様（ｉ）から実施態様（iii）のいずれか一項に記載の組成物。
（xiii）  前記ｐＨが約９〜約１１であり、そして前記少なくとも１種のｐＨ調製剤が、アルカリ金属水酸化物及びアルカリ土類金属水酸化物、アルカリ金属酸化物及びアルカリ土類金属酸化物、炭酸アルカリ金属塩、重炭酸アルカリ金属塩、リン酸アルカリ金属塩、ホウ酸塩、ケイ酸塩、アルミン酸塩、アンモニア、エタノールアミン、イソプロパノールアミン、アミノカルボン酸キレート剤の中和塩及びアミノホスホン酸キレート剤の中和塩のうちの一種である、実施態様（ｉ）から実施態様（iii）のいずれか一項に記載の組成物。
（xiv）  前記洗浄系が、水と結合しかつ複数回の水性リンスの作用下で前記組成物に寸法安定性を付与する少なくとも１種の粘着促進剤と、前記少なくとも１種の粘着促進剤とは異なる少なくとも１種の界面活性剤と、を含有しており、前記少なくとも１種の粘着促進剤のうち少なくとも１つが、非イオン界面活性剤からなる群から選択され、そして前記粘着促進剤とは異なる前記少なくとも１種の界面活性剤が、アニオン性界面活性剤、非イオン界面活性剤、カチオン性界面活性剤、両性イオン性界面活性剤及び両性界面活性剤からなる群から選択される、実施態様（ｉ）から実施態様（iii）のいずれか一項に記載の組成物。
（xv）  前記洗浄系が、水と結合しかつ複数回の水性リンスの作用下で前記組成物に寸法安定性を付与する少なくとも１種の粘着促進剤と、前記粘着促進剤とは異なる少なくとも１種の界面活性剤と、を含有しており、前記少なくとも１種の粘着促進剤のうち少なくとも１つが、非イオン界面活性剤からなる群から選択され、そして前記粘着促進剤とは異なる前記少なくとも１種の界面活性剤が、分枝鎖Ｃ１０〜Ｃ１４アルキル残基と５〜１２個のエトキシ基とを有する非イオン界面活性剤からなる群から選択される、実施態様（ｉ）から実施態様（iii）のいずれか一項に記載の組成物。
（xvi）  前記少なくとも１種の粘着促進剤が、約２０〜約８０重量％の量で含まれており、そして前記粘着促進剤とは異なる前記少なくとも１種の界面活性剤が、約１重量％超〜約１０重量％の量で含まれている、実施態様（xv）に記載の組成物。
（xvii）  前記組成物の粘度が２０〜２５℃において約１００〜約１０００ｐａ・ｓである、実施態様（ｉ）から実施態様（iii）のいずれか一項に記載の組成物。